(57)【要約】【課題】比較的簡易な構成でありながら使い勝手が良い容器用蓋体を提案する。【解決手段】  容器体の口部の周囲に嵌合させるための蓋周壁１２と、この蓋周壁１２の上面に張設された頂板１６とを具備し、前記頂板１６の一部に、挿入口Ａ形成用の分離線２４が形成されており、当該分離線２４で仕切られる頂板部分で形成される操作用切片２８を頂板１６の外側から押し込むことにより前記挿入口Ａが開口されるように構成した。また前記頂板１６は、容器体の口部上端への載置用の平坦な外周部１８を有し、  前記分離線２４は、前記外周部１８付近から内方へ延びる一対の側線部２４ａの各先端ｅ２を一本の先線部２４ｂで連結させることで形成した。【選択図】図１
2019099215.tif 000002
【特許請求の範囲】
【請求項１】
容器体の口部の周囲に嵌合させるための蓋周壁(１２)と、
この蓋周壁(１２)の上面に張設された頂板(１６)と、
を具備し、前記頂板(１６)の一部に、内容物取出し用治具の挿入口(Ａ)を形成するための分離線(２４)が形成されており、当該分離線(２４)で仕切られる頂板部分で形成される操作用切片(２８)を頂板(１６)の外側から押し込むことにより前記挿入口(Ａ)が開口されるように構成したことを特徴とする、容器用蓋体。
【請求項２】
前記操作用切片(２８)は、基部(２８ａ)及び先部(２８ｂ)を有し、前記押込み状態において基部(２８ａ)を操作用切片(２８)の周囲の頂板部分と連続させたままで先部(２８ｂ)が下降するように形成されており、前記基部(２８ａ)に位置する分離線の基端(ｅ１)と連続して操作用切片(２８)の下方への屈折を容易とする補助屈折線(２６)を前記頂板(１６)に形成したことを特徴とする、請求項１に記載の容器用蓋体。
【請求項３】
底壁(４)の外周から起立する筒周壁(６)を有し、この筒周壁(６)の上端に鍔部(８)を付設させた容器体(２)と、
前記蓋周壁(１２)を前記鍔部(８)の周端部(９)に嵌合させてなる請求項１又は請求項２に記載された容器用蓋体(１０)と、
を具備し、
前記頂板(１６)は、容器体の口部上端への載置用の平坦な外周部(１８)を有し、この外周部(１８)を前記鍔部(８)の上面に載置させており、
前記分離線(２４)は、前記外周部(１８)付近から内方へ延びる一対の側線部(２４ａ)の各先端(ｅ２)を一本の先線部(２４ｂ)で連結させることで形成したことを特徴とする蓋付き容器。
【請求項４】
前記外周部(１８)より内方の頂板部分を、外周部(１８)に接する一部を除いて上方へ膨らむ膨出部(２０)とするともに、前記一部を外周部(１８)と連続する平坦板部(２２ａ)とし、この平坦板部(２２ａ)に前記分離線(２４)を形成したことを特徴とする、請求項３に記載の蓋付き容器。
【請求項５】
前記頂板(１６)の外周部(１８)は、前記鍔部(８)の外半部(８ｂ)に載置されているとともに、
前記外周部(１８)より内方の頂板部分を、上方へ膨らむ膨出部(２０)とし、
前記分離線(２４)を、前記膨出部(２０)の周辺部から頂板(１６)の中心側へ延びる一対の側線部(２４ａ)の各先端(ｅ２)を先線部(２４ｂ)で連結させて形成し、
この分離線(２４)により画成される操作用切片(２８)のうちの先端部を弾性変形可能な可動板部(３０)として残して、可動板部(３０)を除く操作用切片(２８)部分から突設する補剛突部(３２)の下端面を前記鍔部(８)の内半部(８ａ)に当接したことを特徴とする、請求項３に記載の蓋付き容器。
【発明の詳細な説明】
【技術分野】
【０００１】
本発明は、容器用蓋体及び蓋付き容器、特にマーガリンやバター等を収納するための蓋付き容器に関する。
【背景技術】
【０００２】
この種の容器として、蓋周壁の上面に蓋板を張設させた蓋体と、底壁の外周から起立した筒周壁の上部を前記蓋周壁の下部に嵌合させた広口の容器体とを具備し、前記蓋体の前後両半部を、頂板を左右方向に横断する一本の屈折線及び屈折線の両端に連続して蓋周壁を縦断する一対の切離し線で区分し、当該蓋体の一方半部である固定蓋部を容器体に装着させたままで、蓋体の他方半部である可動蓋部を開閉することができるように設け、この可動蓋部の裏面に付設した保持具を介して、バターナイフなどの内容物取出し用治具を内蔵させたものが知られている（特許文献１）。
【先行技術文献】
【特許文献】
【０００３】
【特許文献１】特開２０１３−１５４９２２
【発明の概要】
【発明が解決しようとする課題】
【０００４】
特許文献１の蓋付き容器は、内容物取出し用治具を内部に保持させている点では便利であるが、蓋体を固定蓋部及び可動蓋部とに区分させるため、構造が複雑となり、製造コストが高くなる。
これに対して、単に容器体の筒周壁の上部に蓋体の蓋周壁の下半部を嵌合するとともに、蓋周壁の下端から上端側へ一対の切離し線を穿設して、両切離し線の間の蓋周壁部分を、上端部を回転軸として外方へ回動可能な可動壁部とし、この可動壁部を側方へ回動することで開口する挿入口からバターナイフなどを挿入し、この挿入状態で保持することが可能とすることも考えられる。しかしながら、こうした構成では、容器体から蓋体を外して可動壁部を操作しなければならないので、使い勝手がよくない。
【０００５】
本発明の目的は、比較的簡易な構成でありながら使い勝手が良い容器用蓋体及び蓋付き容器を提案することである。
【課題を解決するための手段】
【０００６】
第１の手段は、容器用蓋体であり、
容器体の口部の周囲に嵌合させるための蓋周壁１２と、
この蓋周壁１２の上面に張設された頂板１６と
を具備し、前記頂板１６の一部に、内容物取出し用治具の挿入口Ａを形成するための分離線２４が形成されており、当該分離線２４で仕切られる頂板部分で形成される操作用切片２８を頂板１６の外側から押し込むことにより前記挿入口Ａが開口されるように構成した。
【０００７】
本手段では、容器用蓋体１０の頂板１６の一部に、内容物取出し用治具Ｔの挿入口Ａを形成するための分離線２４を形成している。これにより、当該分離線２４で仕切られる頂板部分で形成される操作用切片２８を、例えば使用者の指や内容物取出し用治具Ｔなどを用いて頂板１６の外側から押し込むことにより前記挿入口Ａを開口することができ、使い勝手が良い。
また頂板１６に分離線２４を形成する構造であるので構成が簡易であり、例えば蓋体１０をシート成形することに適しているので、生産性を向上することができる。
【０００８】
“分離線で仕切られる”とは、少なくとも操作用切片を水平状態から下方へ押し込むことが可能な形態に仕切られていることをいう。より具体的には操作用切片の基部２８ａが周囲の頂板部分に連続したままで操作用切片２８の先部２８ｂが下降することが可能であればよい。
【０００９】
第２の手段は、第１の手段を有し、かつ
前記操作用切片２８は、基部２８ａ及び先部２８ｂを有し、前記押込み状態において基部２８ａを操作用切片２８の周囲の頂板部分と連続させたままで先部２８ｂが下降するように形成されており、前記基部２８ａに位置する分離線の基端ｅ１と連続して操作用切片２８の下方への屈折を容易とする補助屈折線２６を前記頂板１６に形成している。
【００１０】
本手段では、基部２８ａ及び先部２８ｂを有し、前記押込み状態において基部２８ａを周囲の頂板部分と連続させたままで先部２８ｂが下降するように形成された操作用切片２８において、前記基部２８ａに位置する分離線の基端ｅ１と連続して操作用切片２８の下方への屈折を容易とする補助屈折線２６を前記頂板１６に形成している。これにより、操作用切片２８を外側から押し込んで挿入口Ａを開口させることが容易となる。
「補助屈折線」は、操作用切片２８の根元（基部側）での屈折が容易となる態様であればどのようなものでも良い。
【００１１】
第３の手段は、蓋付き容器であり、
底壁４の外周から起立する筒周壁６を有し、この筒周壁６の上端に鍔部８を付設させた容器体２と、
前記蓋周壁１２を前記鍔部８の周端部９に嵌合させてなる第１の手段又は第２の手段に記載された容器用蓋体１０と、
を具備し、
前記頂板１６は、容器体の口部上端への載置用の平坦な外周部１８を有し、この外周部１８を前記鍔部８の上面に載置させており、
前記分離線２４は、前記外周部１８付近から内方へ延びる一対の側線部２４ａの各先端ｅ２を一本の先線部２４ｂで連結させることで形成した。
【００１２】
本手段では、容器体２の筒周壁６の上端に付設された鍔部８の上面に、蓋体１０の頂板１６が有する平坦な外周部１８を載置させ、当該外周部１８付近から内方へ延びる一対の側線部２４ａの各先端ｅ２を一本の先線部２４ｂで連結させることで前記分離線２４を形成している。この構成では、例えば分離線２４を頂板１６の中央部に設けた場合のように、操作用切片２８を頂板１６の外側から押し込んだときに頂板１６全体が下降し、いわば操作用切片２８が下方へ逃げることで、分離線２４に押下げ力が十分に伝わらないという不都合を生ずることがなく、挿入口Ａを効率的に開口させることができる。
【００１３】
第４の手段は、第３の手段を有し、かつ
前記外周部１８より内方の頂板部分を、外周部１８に接する一部を除いて上方へ膨らむ膨出部２０とするともに、前記一部を外周部１８と連続する平坦板部２２ａとし、この平坦板部２２ａに前記分離線２４を形成した。
【００１４】
本手段では、外周部１８より内方の頂板部分を、外周部１８に接する一部を除いて上方へ膨らむ膨出部２０とするともに、前記一部を外周部１８と連続する平坦板部２２ａとし、この平坦板部２２ａに前記分離線２４を形成している。この構成によれば、分離線２４形成箇所に隣接する箇所が隆起しているために、他物が不意に分離線２４形成箇所に衝突して、例えば分離線２４である破断線が切れるなどの不都合を回避できる。
【００１５】
第５の手段は、第３の手段を有し、かつ
前記頂板１６の外周部１８は、前記鍔部８の外半部８ｂに載置されているとともに、
前記外周部１８より内方の頂板部分を、上方へ膨らむ膨出部２０とし、
前記分離線２４を、前記膨出部２０の周辺部から頂板１６の中心側へ延びる一対の側線部２４ａの各先端ｅ２を先線部２４ｂで連結させて形成し、
この分離線２４により画成される操作用切片２８のうちの先端部を弾性変形可能な可動板部３０として残して、可動板部３０を除く操作用切片２８部分から突設する補剛突部３２の下端面を前記鍔部８の内半部８ａに当接した。
【００１６】
本手段では、前記分離線２４を、頂板１６の前記膨出部２０の周辺部から頂板１６の中心側へ延びる一対の側線部２４ａの各先端ｅ２を先線部２４ｂで連結させて形成し、かつ操作用切片２８のうちの先端部を弾性変形可能な可動板部３０として残して、可動板部３０を除く操作用切片２８部分から突設する補剛突部３２の下端面を前記鍔部８の内半部８ａに当接している。
この構成により、前記可動板部３０を押し下げて挿入口Ａを開口させることができ、また当該押下げを解放することで、可動板部３０の弾性復元により挿入口Ａを確実に閉鎖させることができる。
【発明の効果】
【００１７】
第１の手段に係る発明によれば、容器用蓋体１０の頂板１６の一部に分離線２４を形成されており、当該分離線２４で仕切られる頂板部分である操作用切片２８を頂板１６の外側から押し込むことにより内容物取出し用治具の挿入口Ａが開口され、当該挿入口に内容物取出し用治具を挿入して保持させることができ、挿入口を開口させるために容器体から蓋体を外す必要がないので、簡易な構成でありながら、使い勝手が良い。
第２の手段に係る発明によれば、操作用切片２８の基部２８ａに位置する分離線の基端ｅ１と連続して操作用切片２８の下方への屈折を容易とする補助屈折線２６を前記頂板１６に形成したから、操作用切片２８の押し込みが容易となる。
第３の手段に係る発明によれば、容器体の口部上端への載置用の平坦な外周部１８を有し、この外周部１８を前記鍔部８の上面に載置させており、外周部１８付近から内方へ延びる一対の側線部２４ａの各先端を一本の先線部２４ｂで連結させることで前記分離線２４を形成したから、操作用切片２８の押し下げ時に操作用切片２８の周囲の沈み込みを規制することができ、押し込み力を分離線２４に確実に伝達することができる。
第４の手段に係る発明によれば、外周部１８より内方の頂板部分を、外周部１８に接する一部を除いて上方へ膨らむ膨出部２０とするともに、前記一部を外周部１８と連続する平坦板部２２ａとし、この平坦板部２２ａに前記分離線２４を形成したから、操作用切片２８に他物が不意に接して挿入口Ａが開口されることを防止できる。
第５の手段に係る発明によれば、頂板１６の前記膨出部２０の周辺部から頂板１６の中心側へ延びる一対の側線部２４ａの各先端ｅ２を先線部２４ｂで連結させて分離線２４を形成し、かつ操作用切片２８のうちの先端部を弾性変形可能な可動板部３０として残して、可動板部３０を除く操作用切片２８部分から突設する補剛突部３２を前記鍔部８の内半部８ａに当接したから、前記可動板部３０の押し下げを解放したときに、可動板部３０の弾性復元により挿入口Ａを確実に閉鎖させることができる。
【図面の簡単な説明】
【００１８】
【図１】本発明の第１実施形態に係る蓋付き容器の平面図である。
【図２】図１の容器の側方から見た半断面図である。
【図３】図２の断面図の一部拡大図である。
【図４】図１の容器の正面図である。
【図５】図１の容器の使用方法の説明図である。
【図６】本発明の第２実施形態に係る蓋付き容器の平面図である。
【図７】図６の容器の側方から見た半断面図である。
【図８】図７の断面図の一部拡大図である。
【図９】図６の容器の正面図である。
【図１０】図６の容器の使用方法の説明図である。
【発明を実施するための最良の形態】
【００１９】
図１から図５は、本発明の第１実施形態に係る蓋付き容器を示している。この蓋付き容器は、容器体２と、蓋体１０とで形成されている。これら各部材は、合成樹脂材で形成することができる。
【００２０】
容器体２は、底壁４の外周から、上端を開口する筒周壁６を起立している。この筒周壁６の上端に鍔部８を付設している。図示例の鍔部８の周端部９は下外方へ傾斜している。鍔部８の周方向の適所には、図３に示す如く、鍔部８を周方向に横断する通気溝ｇを形成している。
本実施形態の筒周壁６は、略四角筒状としているが、この構造は適宜変更することができる。
【００２１】
蓋体１０は、前記鍔部８の周端部９に嵌合させた蓋周壁１２と、この蓋周壁１２の上面に張設させた頂板１６とを有する。
この蓋体１０は、シート成形により形成することが好適であるが、それ以外の方法、例えばインジェクション成形の薄肉成形などにより形成することもできる。
【００２２】
前記蓋周壁１２は、本実施形態では、直筒状の上半部１２ａの下端から下外方へスカート状に拡開する下半部１２ｂを突設してなる。また蓋周壁１２の周方向の一部には図２に示すように内方へ突き出す係合凸部１４が形成されており、閉蓋操作時に蓋体１０を図３に点線で示す位置から同図に実線で示す位置へ移動させるに伴い、前記係合凸部１４が鍔部８の周端部９を乗り越えるようにしている。
【００２３】
前記頂板１６は、前記蓋周壁１２の上端と隣接する平坦な外周部１８を有する。この外周部１８は、前記鍔部８の上面に載置されている。
本実施形態では、頂板１６のうちで前記外周部１８より内方の部分を、上方へ膨らむ膨出部２０としている。もっともこの構造は必須ではなく、例えば頂板１６全体を平板に形成しても構わない。
図示の頂板１６は、その周辺部を、図２に示すように側方から見て円弧状の屈曲板部２０ａに、残りの部分を水平板部２０ｂにそれぞれ形成している。
前記屈曲板部２０ａの適所（図示例では平面視長方形の蓋体の長辺の両端及び中間部に対応する箇所）には、上方から見て外周部１８及び膨出部２０の境界線ｂより複数の補助凹部２１が形成されている。この補助凹部２１は、複数の蓋体を積み重ねたときに蓋体が相互に係止することを可能とするものである。
さらに屈曲板部２０ａの周方向の一箇所には、上方から見て膨出部２０に食い込む凹入部２２を形成している。この凹入部２２の底部は、前記外周部１８と面一に連続する平坦板部２２ａとしている。
この平坦板部２２ａには、略Ｕ字形の分離線２４が穿設されている。図示例の分離線２４は、平坦板部２２ａの外端側から内方へ延びる一対の側線部２４ａと、これら側線部２４ａの先端ｅ２を結ぶＶ字形の先線部２４ｂとで形成されている。分離線２４により三方を仕切られる板部を、操作用切片２８としている。図示例の一対の側線部２４ａは平行線であるが、これらの構造は、例えば、側線部２４ａの先端ｅ２を交差するように結び分離線２４全体の形状を略Ｖ字形に形成するなど、適宜変更することができる。
前記操作用切片２８は基部２８ａ及び先部２８ｂを有する。基部２８ａは、側線部２４ａの基端ｅ１寄りに位置し、操作用切片２８を押し下げたときに周囲の頂板部分と連続している部分であり、先部２８ｂは、前記先線部２４ｂ寄りに位置し、前記操作用切片２８の押し下げにより最も下降する部分である。
前記分離線２４は、前記操作用切片２８を頂板１６の外側から押し込むことにより、前記三方において当該操作用切片２８が周囲の平坦板部分から分離し、先部２８ｂ側から下降して、挿入口Ａが開口するように構成されていれば良い。本実施形態では、ミシン目である破断線として形成されているが、例えば薄肉の弱化線、或いはスリットとして形成しても良い。
図示例において、前記略Ｕ字形の分離線２４を形成する前記一対の側線部２４ａの基端ｅ１を直線的に結ぶ、肉薄線である補助屈折線２６を形成している。なお、補助屈曲線２６は、操作用切片２８の基部側での屈曲が容易となる態様であれば、どのようなものでも良く、例えば、前記一対の側線部２４ａの基端ｅ１から相互に近づく方向（対向方向）に突出する一対の切欠きを穿設した構造などとしても良い。また、補助屈曲線２６は設けなくても良い。
なお、図示はしないが、頂板１６の外縁に接する箇所に分離線２４を設ける場合には、上方から見た分離線２４の形状を、前記略Ｕ字形を中心線に沿って半分に切った形状（例えば略Ｌ字形）とすることができる。この場合には、前記Ｌ字形の両端のうち頂板外縁に接する一方端部から蓋周壁を縦断する第１補助分離線を延長するとともに、他方端部から中心線と直交する方向に補助屈折線を設け、この補助屈折線の先端から蓋周壁を縦断する第２補助分離線を垂下するとよい。また、分離線２４の形状は、内容物取出し用治具Ｔを挿入し、保持可能であれば、これらに限られない。
前記構成において、図５に示す如く、例えば使用者の指やバターナイフなどの内容物取出し用治具Ｔなどで操作用切片２８を押し込むと、操作用切片２８が補助屈折線２６を中心として下方へ回転して挿入口Ａが開口する。この挿入口ＡにはバターナイフＴを挿入して保持させることができる。
内容物を取り出すときには、前記挿入口ＡからバターナイフＴを引きぬくと共に、容器体２から蓋体１０を外し、バターナイフＴを用いて、容器体２から所要両の内容物を切り取って、取り出せばよい。
本実施形態では、操作用切片２８が弾性を有するため、バターナイフＴを引きぬいた際に、操作用切片２８が、挿入口Ａを閉塞するように復元変形する。
【００２４】
以下、本発明の他の実施形態に係る蓋付き容器を説明する。これらの説明において第１実施形態と同じ構成に関しては解説を省略する。
【００２５】
図６から図１０は、本発明の第２実施形態に係る蓋付き容器を示している。本実施形態では、第１実施形態の分離線及び操作用切片の構成を変更したものである。
すなわち、第１実施形態の構成中の凹入部２２及び補助屈折線２６を省略して、屈曲板部２０ａに分離線２４を形成している。図示例の分離線２４は、屈曲板部２０ａに切り込む一対の側線部２４ａを、外周部１８との境界線ｂ付近から屈曲板部２０ａの上端部付近に亘って穿設するとともに、これら一対の側線部２４ａの先端ｅ２を直線状の先線部２４ｂで連結してなるが、この構成は適宜変更することができる。例えば略Ｕ字形の分離線が後述の補剛リブを跨ぐように形成してもよい。
操作用切片２８は、前記分離線２４で三方を仕切られる屈曲板部分で弾性板部として形成されている。本発明の蓋体は、分離線２４を頂板部に設けているので、シート成形を用いて効率良く製造することができる。すなわち、シート成形の場合には、金型の構成上、成形品の側面に分離線で仕切られた操作用切片を有する形態で成形することが困難であり、シート成形後に後加工として分離線を穿設する必要があった。これに対して本発明では、前述の通り分離線が頂板部に設けられているから、シート成形で容易に成形できる。
好適な図示例では、鍔部８の外半部８ｂに頂板１６の外周部１８を載置させるとともに、前記操作用切片２８の先端部を可動板部３０として残して、操作用切片の残りの部分の裏面から補剛突部３２を突設し、この補剛突部３２の下面を前記鍔部８の内半部８ａに載置させている。
図示例の補剛突部３２は、図６に点線で示すように内外方向に一定の幅を有する補剛リブとしている。この補剛リブの側方から見た形状は略扇形であり（図７参照）、その下端面のうち外周部１８寄りの部分を鍔部８の内半部８ａに載置しているが、この構造は適宜変更することができる。
この構成では、前記補剛突部３２を形成することにより、操作用切片２８が蓋周壁１２と連結されている。それにより、操作用切片２８に蓋周壁１２の復元変形力が加わることで前記操作用切片２８の弾性変形力をより強くすることができる。
また、この構成に変えて、前記補剛突部３２を形成することにより、操作用切片２８の変形できる部分を、前記可動板部３０に制限する構成とすることもできる。
図１０に示す如く、使用者の指やバターナイフＴなどで前記可動板部３０を外側から押し込むと、可動板部３０が内方へ屈曲変形して、挿入口Ａが開口するので、バターナイフＴを挿入し、保持することができる。挿入口ＡからバターナイフＴを引きぬくと、可動板部３０が元の位置に弾性復元して、挿入口Ａが閉塞する。しかる後に容器体２から蓋体１０を外して、内容物を切り取ることができる。
なお、前記補剛突部３２を設けているので、可動板部３０が下方へ弾性変形する際に、可動板部以外の切片部分及び補剛突部３２も僅かに弾性変形し、これらが曲り板バネ及び垂直板バネの組み合わせとして大きな弾発力を発揮する。その結果として、操作用切片２８全体の弾性復元力が強くなっているため、挿入口Ａの閉塞を確実にすることができる。
【符号の説明】
【００２６】
２…容器体  ４…底壁  ６…筒周壁  ８…鍔部  ８ａ…内半部  ８ｂ…外半部
９…周端部
１０…蓋体  １２…蓋周壁  １２ａ…上半部  １２ｂ…下半部  １４…係合凸部
１６…頂板  １８…外周部  ２０…膨出部  ２０ａ…屈曲板部  ２０ｂ…水平板部
２１…補助凹部  ２２…凹入部  ２２ａ…平坦板部
２４…分離線  ２４ａ…側線部  ２４ｂ…先線部
２６…補助屈折線  ２８…操作用切片  ２８ａ…基部  ２８ｂ…先部
３０…可動板部  ３２…補剛突部
Ａ…挿入口  ｂ…境界線
ｅ１…基端  ｅ２…先端  ｇ…通気溝  Ｔ…内容物取出し用治具（バターナイフ）
【図１】
2019099215.tif 000003
【図２】
2019099215.tif 000004
【図３】
2019099215.tif 000005
【図４】
2019099215.tif 000006
【図５】
2019099215.tif 000007
【図６】
2019099215.tif 000008
【図７】
2019099215.tif 000009
【図８】
2019099215.tif 000010
【図９】
2019099215.tif 000011
【図１０】
2019099215.tif 000012